(57)【要約】      （修正有）【課題】片手でのキャップを開閉する事が出来るとともに、キャップが簡単に外れず水密保持が可能なボトルキャップ開閉装置を提供する。【解決手段】キャップ３はトーションばね備付のヒンジ１１を設け、レバー３２を設けた円筒状の回動部の内周側の左右側には留め具を備え、首部本体６６の背面突出部からも同様に左右側に留め具を備え、前記回動部は左右に回動自在に首部本体に軸支し、また、回動部と首部本体の左右どちらか側の留め具を弾性体で係留させる仕組みであり、開蓋時は前記回動部に備える突起を弾性体のない側に回動させヒンジに接触させる事で傾動しストッパー６０がヒンジ凸部に係止され、閉蓋時は前記回動部と首部本体に係留された側の弾性体を更に回す事でヒンジ凸部に係止されていた前記ヒンジからストッパーが外れ、前記回動部のレバーが正面側に引き戻され、付勢で閉蓋する。【選択図】図１
2019112138.tif 000002
【特許請求の範囲】
【請求項１】
正面にレバー係止用孔（５）を設け、後方にトーションばね（１００）の上端を嵌入するトーションばね孔Ａ（９）を下面側に設けた延出部（７）から下方にヒンジ（１１）を延設し、内側にヒンジ凸部（１３）を形成した円盤状のキャップ（３）と、正面側に鈎（３４）と裏面に小凸部Ａ（３８）を設けたレバー（３２）が付設され、外周面に小凸部Ｂ（４０）と内周側に回動部内周凸部（５２）と、その下端側の両側に留め具Ａ（４６）と留め具Ｂ（４８）を備え、背面側に突起Ａ（５６）から連なるストッパーＡ（６０）と突起Ｂ（５８）から連なるストッパーＢ（６２）を設け、下端が半円状に開口（５０）した円筒状の回動部（３０）と、
上端に飲み口部（６８）を設け、外周面に凹部（７０）と、その下側に弾性体Ａ（１２０）が周着する弾性体用溝（８４）を凹設し、後方に背面突出部（７６）を設け、前記背面突出部（７６）の上面に前記トーションばね（１００）の下端を嵌入するトーションばね孔Ｂ（７８）と両端に留め具Ｃ（８０）と留め具Ｄ（８２）とを設け、下端部（８６）側の内周面にはペットボトル容器（１５０）の小開口雄ねじ（１５４）と螺嵌するボトル連結用雌ねじ（８８）を形設した首部本体（６６）により構成されるボトルキャップ開閉装置。
【請求項２】
前記キャップ（３）の前記延出部（７）から垂設した前記ヒンジ（１１）の端部（１５）の端部孔（１７）が、上端が開口した前記首部本体（６６）の背面に突設するヒンジ連結部（７２）のヒンジ取り付け孔（７４）にヒンジ用ねじセット（１１１）で蝶着され、前記回動部（３０）は後部外周緑の繋後輪（５４）から下側が半円状に開口（５０）し、前記首部本体（６６）に前記回動部（３０）を嵌入した際、回動自在に外周面下側に前記回動内周凸輪（５２）が軸支する凹部（７０）を設けた事を特徴とする請求項１に記載のボトルキャップ開閉装置。
【請求項３】
前記回動部（３０）は回動自在に首部本体（６６）に軸支し、介在する弾性体Ａ（１２０）又は弾性体Ｂ（１２７）で前記留め具Ａ（４６）と前記留め具Ｃ（８０）、又は前記留め具Ｂ（４８）と前記留め具Ｄ（８２）に係留する事を特徴とする請求項１又は２に記載のボトルキャップ開閉装置。
【請求項４】
前記首部本体（６６）に着するキャップ（３）と回動部（３０）は径が等しく、前記回動部（３０）外周正面側に設けられたレバー（３２）の裏側に、圧縮コイルばね（１４０）を装着する為の小凸部Ａ（３８）と、前記回動部（３０）の正面外周側に正対する様に取り付けられた小凸部Ｂ（４０）を備え、ペットボトル容器（１５０）等の幅狭口タイプ（１９０）に向いた請求項１に記載のボトルキャップ開閉装置。
【請求項５】
前記首部本体（６６）に嵌着するキャップ（３）に対し、回動部（３０）の外径は前記回動部（３０）の外周面にあるレバー（３２）周囲が膨出する事で前記回動部（３０）の正面側のレバー（３２）が遮蔽されると共に、前記首部本体（６６）に設けられた弾性体用溝（８４）との間隔が広がり、また、前記レバー（３２）の裏側に突設された小凸部Ａ（３８）に面する前記回動部（３０）の一部が開口し、前記小凸部Ａ（３８）と正対する様に、首部本体（６６）の凹部（７０）の下側には小凸部Ｂ（４０）を設け、板ばね（１４５）を介在し、潜通する弾性体Ａ（１２０）にレバ―（３２）が接触する事なく遊貫する事で、水筒容器（１７０）等の幅広口タイプ（２００）に向いた請求項４に記載のボトルキャップ開閉装置。
【発明の詳細な説明】
【技術分野】
【０００１】本発明は、ペットボトル容器に外付け利用するものであり、開蓋時はテコの応用により僅少な力でキャップが開蓋し、閉蓋時には弾性体の働きを利用し目的を果たすものである。。
【背景技術】
【０００２】近年、弾性体に依って蓋部が開口する仕組みの水筒、或いは外付けキャップが出ているが、閉蓋する物は現在のところ見かける事がなく、公知されているものに限って言えば、特許文献１がある。
しかしながら、構造上清浄面であるとか万が一不具合が生じた際に簡単に直す事ができるのかなどが問題点として挙げられる。
また、特許文献２は、テコの応用で開蓋するが閉蓋は手動である。
【先行技術文献】
【特許文献】
【０００３】
【特許文献１】特開平０９−１５０８４９
【特許文献２】実願２０１５−００５９７８
【発明の概要】
【発明が解決しようとする課題】
【０００４】そこで、これらの事態を回避するべく、片手で開閉、或いは僅少な補助による閉蓋が可能である事は主軸を置きながら、簡単に取り外しが可能である事で清浄の徹底を図り、且つ不具合が生じた際も即処置が可能な上、例えばデザインを模したパーツを幾つか用意し一部を交換する事でオリジナルティーを出す事が可能なものとなる。
【課題を解決するための手段】
【０００５】トーションばね（１００）備付のヒンジ（１１）を設けた円盤状のキャップ（３）と、フックを備えたレバー（３２）を設けた円筒状の回動部（３０）と、上端に飲み口部（６８）を備える首部本体（６６）とから構成されるボトルキャップ装置であって、前記キャップ（３）と前記首部本体（６６）がヒンジ（１１）で蝶着し、前記回動部（３０）は回動自在に首部本体（６６）に形成軸支し介在する弾性体で係留され、開蓋時は前記回動部（３０）に備える突起Ａ（５６）又は突起Ｂ（５８）が弾性体のない側に回す事で前記ヒンジ（１１）に接触傾動し、閉蓋時は前記回動部（３０）と首部本体（６６）に係留された側の弾性体Ａ（１２０）又は弾性体Ｂ（１２７）の反作用を利用する事になり、その為、レバー（３２）を更に回転方向に回すことで突起Ａ（５６）又は突起Ｂ（５８）がヒンジ凸部（１３）から外れ、前記回動部（３０）のレバー（３２）が正面側に引き戻され、付勢で閉蓋し、同時に弾性体Ａ（１２０）は自然長に戻る事になる。また、パーツごとの特徴としては、前記キャップ（３）は正面下側にレバー係止用孔（５）を備え、後方の延出部（７）の下面側にトーションばね孔Ａ（９）を設け、前記延出部（７）から垂設した前記ヒンジ（１１）の端部（１５）の端部孔（１７）は、上端が開口した前記首部本体（６６）の背面に突設するヒンジ連結部（７２）のヒンジ取り付け孔（７４）に蝶着し、前記キャップ（３）のヒンジ（１１）の内側中央にヒンジ凸部（１３）が設けられ、後部外周緑は繋後輪（５４）の両端に配置する突起Ａ（５６）よりストッパーＡ（６０）と突起Ｂ（５８）からはストッパーＢ（６２）が外方に斜設して張り出し、前記繋後輪（５４）より下側は、半円状に開口（５０）し前記回動部（３０）の残部（４２）内周面に弧状の回動部内周凸部（５２）が突設され、両端下側に留め具Ａ（４６）留め具Ｂ（４８）が付着し、外周正面側には鈎（３４）を備えるレバー（３２）が設けられ、前記首部本体（６６）は前記回動部（３０）に嵌入した際、外周面下側に前記回動内周凸輪（５２）が軸支する凹部（７０）を設け、前記首部本体（６６）の下方側に伸縮自在の弾性体が治まる弾性体用溝（８４）を周設し、外周面後部下端に背面突出部（７６）を設け、上面にトーションばね孔Ｂ（７８）と左右両端に留め具Ｃ（８０）と留め具Ｄ（８２）を備え、下端（８６）部側の内周面にはペットボトル容器（１５０）又は水筒容器（１７０）の雄ねじ（１５４）と螺嵌するボトル連結用雌ねじ（８８）を形設し、ペットボトル自動開閉装置（１）の幅狭口タイプ（１９０）はキャップ（３）と回動部（３０）は外径が等しく、前記回動部（３０）外周正面側に設けられたレバー（３２）の裏側に突設された小凸部Ａ（３８）と前記回動部（３０）の正面外周側に正対する様に取り付けられた小凸部Ｂ（４０）の間に挿む圧縮コイルばね（１４０）を備え、ペットボトル容器（１５０）など小開口首部（１５２）に適するタイプと、幅広口体タイプ（２００）は前記首部本体（６６）首部本体（６６）に嵌着するキャップ（３）に対し回動部（３０）の外径は前記回動部（３０）の外周面にあるレバー（３２）周囲が膨出する事で、前記回動部（３０）の正面側のレバー（３２）が遮蔽されると共に、前記首部本体（６６）に設けられた弾性体用溝（８４）との間隔が広がり、また、前記レバー（３２）の裏側に突設された小凸部Ａ（３８）周囲が一部開口し、前記小凸部Ａ（３８）と正対する様に、首部本体（６６）の凹部（７０）の下側に小凸部Ｂ（４０）を設け、板ばね（１４５）が介在し、潜通する弾性体Ａ（１２０）にレバ―（３２）が接触する事なく遊貫し、水筒容器（１７０）など大開口首部（１７５）タイプに向いた請求項４に記載のボトルキャップ開閉装置。
【発明の効果】
【０００６】本発明には、次に列挙する効果が期待できる。
キャップに触れることなくキャップ前記のレバー係止用孔に咬合する鈎が備わるレバ―を押し下げ、前記鈎が外れた段階でレバーを左右どちらかに回す事で突起がヒンジに接触しキャップが傾動し開口するものであり、（特許文献２）と大きく異なる点として、本発明のボトルキャップ開閉装置は、ヒンジに弾性体Ａが備わり、回動部と首部本体とに弾性体を係留する仕組みであるが、この弾性体は金属ばねに限らずゴム紐のような弾性体でも応用でき、且つ、金属性の弾性体であれば、回動部材が障壁となり自然長の状態から圧縮歪が生じにくく、それ以上回そうとしても回らず基本係留した側の反対方向にのみレバーを回す構造である事から、ロック機能を果たすと共に弾性体に依り、目的を果たした後で閉蓋する際は弾性体の引きき戻す力によってレバーを備える位置が正面に戻り、その時ヒンジに備わる弾性体が首部側に向かって起き上がって来る仕組みであり、閉蓋或いは最小限の補助に依っての閉蓋が可能で、構造自体も簡易な為、キャップや回動部は取り換えも可能でゴム紐の弾性体も併せて無地な物に留まらずキャラクターを施した物を付け替える事で独自のオリジナリティー性を出す事が出来る幅狭口のキャップ自動開閉装置と、幅広口のキャップ自動開閉装置と容器セットでの提供を可能とするものである。【０００７】これらの事から、（特許文献１）と比較すると構造は至ってシンプルであり、飲み口部を阻む物がない為に快適に飲み易く、ボトルキャップ開閉装置は清浄のし易さと、万が一の不具合が起きた場合など処置が非常に簡単に行えるものである。
【図面の簡単な説明】
【０００８】
【図１】（ａ）は、閉蓋状の幅狭口タイプのボトルキャップ装置を装着したペットボトルの右側面図である。（ｂ）は、ボトル本体を示したものである。
【図２】（ａ）は、ボトルキャップ開閉装置の拡大右側面図である。（ｂ）は、ボトルキャップ装置のヒンジをねじ止めし、レバーを左に回しキャップが傾動した事を示した右側面図である。
【図３】図３は、図２（ａ）の右側断面図を示したものである。
【図４】図４は、キャップ、回動部、首部本体の右後側斜視図である。
【図５】（ａ）は、首部本体の正面斜視図である。（ｂ）は、首部本体の右側面図である。（ｃ）は、首部本体の右後側斜視図である。（ｄ）は、首部本体の上面図である。
【図６】（ａ）は、キャップの正面図である。（ｂ）は、キャップの右側面図である。（ｃ）は、キャップの後方面図である。（ｄ）は、キャップの内面側図である。
【図７】（ａ）はキャップを首部本体に被覆し、後方斜視図にしたものである。（ｂ）は、トーションばねである。（ｃ）は、ヒンジ用ねじセットである。（ｄ）は、（ａ）にトーションばねを取り付けヒンジ用ねじセットで蝶合した図である。
【図８】（ａ）は、回動部の正面上斜視図である。（ｂ）は、回動部の右側斜視図である。（ｃ）は、回動部の背面斜視図である。（ｄ）は、回動部の下面側図である。
【図９】図９は、首部本体に嵌着する回動部と、ヒンジの断面図である。
【図１０】（ａ）は、首部本体に嵌着する回動部の上面図である。（ｂ）は、鉄状の弾性体である。（ｃ）は、ゴム紐状の弾性体である。（ｄ）は、（ａ）の左側にばね状の弾性体を係留した状態を示したものである。
【図１１】（ａ）は、図１０の（ｂ）の状態からレバーを右周りに回した事を示した図である。（ｂ）は、ばね状の弾性体を右側に取り付けレバーを左周りに回した事を示した図である。
【図１２】（ａ）は、回動部の前方が膨出した形状の幅広口タイプのボトルキャップ開閉装置を取り付けた容器を示した図である。（ｂ）は、幅広口の容器本体を示した図である。
【図１３】（ａ）は、幅広口タイプのボトルキャップ開閉装置の右側面拡大図である。（ｂ）は、（ａ）の状態からレバーを右周りに回し、キャップが開いた状態を示した図である。
【図】図１４は、図１３（ａ）の右側断面図を示したものである。（ｂ）は、板ばねの側面図である。（ｃ）は、（ｂ）の正面、または背面図である。（ｄ）は、レバーに板ばねを装着した状態を示した側面図である。
【発明を実施するための形態】
【０００９】以下、本発明の実施の形態を図に基づいて説明する。
【実施例１】
【００１０】先ず、図１〜図３について説明する。図１は、一般的なペットボトル容器（１５０）の小開口首部（１５２）と捻合したキャップ開閉装置（１）の幅狭口タイプ（１９０）であり、（特許文献２）と異なる点として、レバー（３２）裏に小凸部Ａ（３８）と、前記小凸部Ａ（３８）に正対する様に回動部（３０）の外周面に小凸部（４０）が突設されていることが特徴であり、回動部（３０）の側面は残部（４２）からヒンジ連結部（７２）背面突出部（７６）周囲が大きく開口（５０）しており、回動部（３０）の回動部内周凸部（５２）が首部本体（６６）の凹部（７０）に枢支し、前記首部本体（６６）の後方下端に突設された前記背面突出部（７６）の側面には留め具Ｃ（８０）が設けられており、図２（ａ）の拡大図ではレバー（３２）の裏側に小凸部Ａ（３８）と正対する位置に回動部（３０）から小凸部Ｂ（４０）が突出しており、ここに圧縮コイルばね（１４０）を嵌め込むが、この時、圧縮コイルばね（１４０）の強度に依ってレバー（３２）に突設されている鈎（３４）がレバー係止用孔（５）にしっかりと鋏止される構造であり、加えて回動部（３０）と首部本体（６６）とで掛止する鉄状コイルの弾性体変化量が閉蓋機能のみならず閉蓋保持効果を齎すものとなり、これらの要素が本発明の一つの特徴となる。
図２（ｂ）は、ヒンジ（１１）をヒンジ用ねじセット（１１１）で蝶着し、レバー（３２）を左に回動した際、ヒンジ（１１）に突起Ｂ（５８）から連なるストッパーＢ（６２）がヒンジ（１１）に接触しており、回動部（３０）の残部（４２）が左に回っており、首部本体（６６）の下端側に凹設けられている弾性体用溝（８４）がしっかりと露出している。図３では、ボトルキャップ開閉装置の前記回動部（３０）と首部本体（６６）の下端側の回動凹部（６４）は半円弧状に正対する事で例えばコイル状のばねを部材間遊挿する事ができ、回動部（３０）と首部本体（６６）は弾性体Ａ（１２０）に妨げられる事なく滑合する事が可能となる。【００１１】次に図４について説明する。
図４は、キャップ（３）と回動部（３０）と首部本体（６６）の右側後方斜視図であるが、この様にパーツ分けされている事で、例えばキャップ（３）と回動部（３０）に何かしらのデザインを模して気分次第で組み替えてみたりとか、またはキャップの上面を円形状に限定せずキャラクター形状にする事で同様に取り換え可能となり、オリジナル性を高める事が可能となる。【００１２】次に図５〜図８について説明する。
図５は首部本体（６６）であり、（ａ）は正面図である。（ｂ）（Ｃ）（Ｄ）を見ると首部本体（６６）の背面の上方にヒンジ連結部（７２）下方に背面突出部（７６）が設けられている事が分かる。背面突出部（７６）の上面にトーションばね孔Ｂ（７８）が設けられており、先ずこの孔に図７（ｂ）のトーションばね（１００）の下端側を挿し込み、図６（ｄ）のようにキャップ（３）の延出部（７）の下面側に設けられたトーションばね孔Ａ（９）にトーションばね（１００）の上端を嵌め込み、図７（ｄ）の様に前記キャップ（３）の端部（１５）の端部孔（１７）と首部本体（６６）のヒンジ取り付け孔（７４）が合わされたところでトーションばね（１００）のばね輪（１０２）をヒンジ用ねじセット（１１１）で蝶合するという非常に簡単な仕組みである。また、この時トーションばね（１００）は、首部本体（６６）の飲み口部（６８）に向かって跳ね上がっていく仕組みである。
次に図８の回動部（３０）についてであるが、（ａ）は正面図であり、（ｂ）を見ると前記回動部（３０）の残部（４２）から半分ほどが開口（５０）している事が分かり、前記残部（４２）の中腹ほどに回動部内周凸部（５２）が突設されており、前記回動部（３０）の後方には繋後輪（５４）を中心として左右に突起Ａ（５６）突起Ｂ（５８）が後方で突出し、前記突起Ａ（５６）からストッパーＡ（６０）が外方へ張り出し、突起Ｂ（５８）からはストッパーＢ（６２）が同様に形成されている事が分かる。
（ｃ）は回動部（３０）の背面図であるが、前記突起Ａ（５６）及びストッパーＡ（６０）と突起Ｂ（５８）及びストッパーＢ（６２）の間に先述した図７の組み合うキャップ（３）と首部本体（６６）のヒンジ連結部（７２）及び背面突出部（７６）に面した部分が大きく開口しているが、図８（ｄ）で示すように回動部内周凸部（５２）が半円弧上に突出している事で、真下に圧入した際に首部本体（６６）の凹部（７０）に枢着でき、またこの時回動部（３０）に環装する留め具Ａ（４６）及び留め具Ｂ（４８）と首部本体（６６）の留め具Ｃ（８０）及び留め具Ｄ（８２）が平行な位置になるものである。【００１３】次に図９、図１０、図１１について説明する。
図９は、首部本体（６６）に回動部（３０）が枢着した上面図と、キャップ（３）のヒンジ（１１）の横断面図を示すものであり、前記ヒンジ（１１）の中央部にヒンジ凸部（１３）が突き出している事が分かる。
レバー（３２）をどちらかに回した際、００１２中段に記述した通り、ヒンジ（１１）はトーションばね（１００）が首部本体（６６）の飲み口部（６８）側に向かって跳ね上がって来る仕組みなので、飲用時にはレバー（３２）を回転方向に回したまま保持しても良いが、ヒンジ（１１）をストッパーで係止する事で煩わしさを解消する事に重きを置いたものであって、図８の（ｂ）（ｄ）を見ると突起Ａ（５６）突起Ｂ（５８）は緩やかに隆起しており、この突起がヒンジ（１１）の内面側を左右どちら側であっても、回った時にヒンジ（１１）を押し下げていく仕組みであり、一定の位置まで回したところで突起Ａ（５６）のストッパーＡ（６０）又は突起Ｂ（５８）のストッパーＢ（６２）が図９のヒンジ凸部（１３）に引っかかり係止する仕組みである。この事によって内容物を飲みこむなど目的を果たす間はレバー（３２）を指で押さえておく必要がない。
図１０（ａ）は、回動部（３０）を首部本体（６６）に被覆した状態を示す平面図であり、（ｂ）はばね状の弾性体Ａ（１２０）であり、（ｃ）はゴム紐状の弾性体Ｂ（１２７）であり、（ｄ）は（ｂ）の弾性体Ａ（１２０）を回動部（３０）の留め具Ｂ（４８）と首部本体（６６）の留め具Ｄ（８２）に取り付けた状態であり、弾性体Ａ（１２０）は自然長である事を示している。
図１１（ａ）は図１０（ｄ）の状態からレバー（３２）を右に回した状態であり、（Ｂ）は弾性体Ａ（１２０）を回動部（３０）の留め具Ａ（４６）と首部本体（６６）の留め具Ｃ（８０）に取り付け、レバー（３２）を左に回した図である。
例えば、販売時には、この様に留め具Ａ（４６）と留め具Ｃ（８０）に弾性体Ａ（１２０）又は弾性体Ｂ（１２７）を取り付けておき、各自の好みで、反対側の留め具Ｂ（４８）と留め具Ｄ（８２）に弾性体を付け替えるなどという事も可能である。また、００１３上段での説明通り、ヒンジ凸部（１３）にストッパーＡ（６０）又はストッパーＢ（６２）を係止しておき目的を終えた後はレバー（３２）を弾性体の取り付けられてない方に更に回してあげることでヒンジ凸部（１３）を係止している斜設されたストッパーが前記ヒンジ凸部（１３）を更に押し下げ惰性によってレバー（３２）が正面位置まで戻り、同時に弾性体Ａ（１２０）は自然長に戻る仕組みである。同時にこの仕組みがロック機能を果たす役割を兼ね備えるものでもあって、また、弾性体Ｂ（１２７）などの様に例えばゴム紐状の様な物であればキャップ（３）や回動部（３０）同様にキャラクターデザインなどを模して気分に合わせて付け替える事も可能である。【００１４】ここでは図１２〜図１４を使い、幅広口タイプ（２００）ボトルキャップ開閉装置について記述する。
図１の幅狭口タイプ（１９０）のボトルキャップ開閉装置の様にレバー（３２）が回動部（３０）の外周面に設けられてあっても、圧縮コイルばね（１４０）とトーションばね（１００）と弾性体Ａ（１２０）の係わりから水密保持は十分に果たせるものであると考えるが、図１２は水筒など口径の大きい物の場合には、鞄などから出す時などレバーが引っかかり万が一内容物が零れてしまうという様な場合も想定する必要がある。また、幅広口タイプ（２００）の物を欲する場合には、水筒容器（１７０）の様な大開口首部（１７５）に合わせてボトルキャップ開閉装置（１）の外径も大きくする必要があり、部材の重さに比例するように弾性体Ａ（１２０）も必然的に太く長くなることが予想される為、レバー（３２）及び回動部（３０）の残部（４２）の内周面と首部本体（６６）の弾性体用溝の間隔を広くする事で、前記回動部（３０）の留め具Ａ（４６）と前記首部本体（６６）の留め具Ｃ（８０）或いは前記回動部（３０）の留め具Ｂ（４８）と前記首部本体（６６）の留め具Ｄ（８２）のいずれか側に装着した弾性体Ａ（１２０）にレバー（３２）が接触させないようにすることが出来る。
また、図１２（ａ）図１３（ａ）（ｂ）の様に回動部（３０）の前方はレバー（３２）を遮蔽するように膨出させ、レバー（３２）の小凸部Ａ（３８）と正対する様に設けられた首部本体（６６）の前記小凸部Ｂ（４０）に介在する板ばね（１４５）の周囲に相当する回動部（３０）が一部開口する事で、レバー（３２）を押し込む際に回動部（３０）が障壁とならず目的も果たす事が出来るものである。
【産業上の利用可能性】
【００１５】本発明は、幅広口用のキャップ自動開閉装置と水筒のセット、又はペットボトル容器に外付け利用出来る幅狭口のキャップ自動開閉装置によって、特に傷病者や車の運転人などに際し、両手を使用できないなどの事態に備え、僅少な力でキャップ上部が開閉でき、特に閉蓋時には弾性体の働きが発揮される構造であり、構造も簡易で分解できるため、例えばキャップや回動部、又は紐状の弾性体にキャラクターを施したものを幾つか組み合わせる事で各自の好みにカスタマイズでき、清浄もしやすい為に清潔に保つ事も出来るものであり、水筒やペットボトル或いは特願２０１６−２０３０５８液体容器と組み合わせる事で常時使用以外に、例えば災害時等に備えてストックしておくなど、多角的なニーズを満たすものである。
【符号の説明】
【００１６】１      キャップ自動開閉装置
３      キャップ１
４      キャップ２
５      レバー鈎係止用孔
７      延出部
９      トーションばね孔Ａ
１１    ヒンジ
１３    ヒンジ凸部
１５    端部
１７    端部孔
１９    キャップ凸輪
３０    回動部１
３１    回動部２
３２    レバー
３４    鈎
３６    ネジ
３８    小凸部Ａ
４０    小凸部Ｂ
４２    残部
４４    開口残部
４６    留め具Ａ
４８    留め具Ｂ
５０    開口
５２    回動部内周凸部
５４    繋後輪
５６    突起Ａ
５８    突起Ｂ
６０    ストッパーＡ
６２    ストッパーＢ
６４    回動凹部
６６    首部本体１
６７    首部本体２
６８    飲み口部
７０    凹部
７２    ヒンジ連結部
７４    ヒンジ取り付け孔
７６    背面突出部
７８    トーションばね孔Ｂ
８０    留め具Ｃ
８２    留め具Ｄ
８４    弾性体用溝
８６    下端部
８８    ボトル連結用雌ねじ
１００  トーションばね
１０２  ばね輪
１１１  ヒンジ用ねじセット
１２０  弾性体Ａ
１２３  フックＡ
１２５  フックＢ
１２７  弾性体Ｂ
１２９  フックＣ
１３１  フックＤ
１４０  圧縮コイルばね
１４５  板ばね
１５０  ペットボトル容器
１５２  小開口首部
１５４  小開口雄ねじ
１７０  水筒容器
１７５  大開口首部
１７７  大開口雄ねじ
１９０  幅狭口タイプ
２００  幅広口タイプ
【図１】
2019112138.tif 000003
【図２】
2019112138.tif 000004
【図３】
2019112138.tif 000005
【図４】
2019112138.tif 000006
【図５】
2019112138.tif 000007
【図６】
2019112138.tif 000008
【図７】
2019112138.tif 000009
【図８】
2019112138.tif 000010
【図９】
2019112138.tif 000011
【図１０】
2019112138.tif 000012
【図１１】
2019112138.tif 000013
【図１２】
2019112138.tif 000014
【図１３】
2019112138.tif 000015
【図１４】
2019112138.tif 000016